(57)【要約】【課題】電池が正規の姿勢で挿入されれば、電池を押さえ込み、電池が上下逆向きに挿入されれば、蓋体をロックできない構造を簡素な構成で実施する。【解決手段】上面が開口し電池3が挿入される収容室4を開設したケース本体1上に、該開口を覆う蓋体2を上下回動且つ前後移動可能に設け、ケース本体1と蓋体2との間には、後退した蓋体2の開き動作を規制するロック機構6が設けられている。収容室4の底面には、電池3が正規の姿勢で挿入された状態で、電池3上の幅方向端部寄りの位置から突出した突片30が嵌まる凹み40が開設されている。蓋体2には、表裏方向が正しく上下方向が逆にされて誤挿入された電池3の突片30に接して、蓋体2のロック動作に伴う後退移動を防ぐリブ片25が設けられている。【選択図】図１０
2008047424.tif 000002
【特許請求の範囲】
【請求項１】
上面が開口し被収容物が挿入される収容室を開設したケース本体上に、該開口を覆う蓋体を上下回動且つ前後移動可能に設け、ケース本体と蓋体との間には、後退した蓋体の開き動作を規制するロック機構が設けられ、
収容室の底面には、被収容物が正規の姿勢で挿入された状態で、被収容物上の幅方向端部寄りの位置から突出した突片が嵌まる凹みが開設され、
蓋体には、表裏方向が正しく上下方向が逆に誤挿入された被収容物の突片に接して、蓋体のロック動作に伴う後退移動を防ぐリブ片が設けられたことを特徴とする電気機器。
【請求項２】
リブ片は、正規の姿勢で挿入された被収容物を下向きに押し込む、請求項１に記載の電気機器。
【請求項３】
蓋体上には当り片が設けられ、該当り片は上下及び表裏方向が誤挿入された被収容物の突片に接して、蓋体の閉じ動作を妨げる、請求項１又は２に記載の電気機器。
【請求項４】
上面が開口し被収容物が挿入される収容室を開設したケース本体上に、該開口を覆う蓋体を上下回動且つ前後移動可能に設け、
被収容物上には、幅方向端部寄りの位置に凹みが開設され、収容室の底面には、凹みに嵌まる突片が設けられ、
突片により、上下方向又は表裏方向の少なくとも一方が誤挿入された被収容物は収容室から浮き上がり、蓋体の閉じ完了を防ぐことを特徴とする電気機器。
【発明の詳細な説明】
【技術分野】
【０００１】
本発明は、蓋体を具えた電気機器、具体的には電池を収容するケースの収容室を覆う蓋体を具えたデジタルカメラ等の電気機器に関する。
【背景技術】
【０００２】
図１６(a)、(b)及び図１７は、従来のデジタルカメラを底面側から見た斜視図である(例えば、特許文献１参照)。これはケース本体(１)の上面に凹面(10)を設け、該凹面(10)内に蓋体(２)をスライド可能に設けている。以下の記載では、蓋体(２)が凹面(10)から飛び出る方向を前方、蓋体(２)が凹面(10)内に引っ込む方向を後方とする。
蓋体(２)は凹面(10)に嵌まった閉じ状態から、前進可能且つ上向きに回動可能である。図１７に示すように、蓋体(２)からは枢軸(21)が外向きに突出し、該枢軸(21)は凹面(10)の側面に前後に延びて形成された長孔(13)に嵌まっている。凹面(10)の下面には上面が開口(41)した収容室(４)が形成され、該収容室(４)内に電池(３)が収容される。凹面(10)の下面からは、弾性変形可能なストッパ(９)が設けられ、ストッパ(９)は先端部が電池(３)の移行路内に進入して、電池(３)がケース本体(１)から不用意に脱出することを防ぐ。ケース本体(１)と蓋体(２)との間には、後退した蓋体(２)の開き動作を規制するロック機構(６)が設けられている。ロック機構(６)には種々のものがあるが、図１７では蓋体(２)に爪部(22)を、ケース本体(１)に爪部(22)と係合する係り片(12)を設けている。
【０００３】
閉じた蓋体(２)を開くには、図１８(a)に示すように、蓋体(２)を手で一旦前進させる。爪部(22)と係り片(12)が外れ、蓋体(２)は上向きに回動可能となる。蓋体（２）を手で上向きに回動させると、収容室(４)が露出する。
電池(３)を収容する際には、電池(３)を収容室(４)内に押し込み、蓋体(２)を後退させる。図１８(b)に示すように、爪部(22)と係り片(12)が係合して、蓋体(２)はロックされて閉じる。
【０００４】
【特許文献１】特開２００４−１７８９４８号公報
【発明の開示】
【発明が解決しようとする課題】
【０００５】
収納されるべき電池(３)には、図１に示すように、幅方向の一端部寄りの位置に突片(30)を設けて、誤挿入を防止したものがある。出願人は、かかる突片(30)を設けた電池(３)を用いるデジタルカメラに於いて、電池(３)が正規の姿勢で挿入されれば、電池(３)を押さえ込み、電池(３)が上下逆向きに挿入されれば、蓋体(２)をロックできない構造を簡素な構成で実施せんとした。
本発明の目的は、電池(３)が正規の姿勢で挿入されれば、電池(３)を押さえ込み、電池(３)が上下逆向きに挿入されれば、蓋体(２)をロックできない構造を簡素な構成で実施することにある。
【課題を解決するための手段】
【０００６】
上面が開口し被収容物が挿入される収容室(４)を開設したケース本体(１)上に、該開口を覆う蓋体(２)を上下回動且つ前後移動可能に設け、ケース本体(１)と蓋体(２)との間には、後退した蓋体(２)の開き動作を規制するロック機構(６)が設けられ、
収容室(４)の底面には、被収容物が正規の姿勢で挿入された状態で、被収容物上の幅方向端部寄りの位置から突出した突片(30)が嵌まる凹み(40)が開設され、
蓋体(２)には、表裏方向が正しく上下方向が逆に誤挿入された被収容物の突片(30)に接して、蓋体(２)のロック動作に伴う後退移動を防ぐリブ片(25)が設けられている。
また、リブ片(25)は、正規の姿勢で挿入された被収容物を下向きに押し込む。
【発明の効果】
【０００７】
被収容物である電池(３)が正規の姿勢で挿入されると、突片(30)は凹み(40)に嵌まり、リブ片(25)は電池(３)の上面を押し込む。
被収容物である電池(３)が表裏方向が正しく上下方向が逆に誤挿入されると、図１１に拡大して示すように、蓋体(２)のリブ片(25)が突片(30)に接して、蓋体(２)を後退させることができない。従って、蓋体(２)をロックできないから、電池(３)を誤挿入したことが判る。
本発明にあっては、蓋体(２)にリブ片(25)を設け、収容室(４)内に電池(３)の突片(30)が嵌まる凹み(40)を設ける簡素な構成にて、電池(３)の上下誤挿入を防止することができる。
また、リブ片(25)にて電池(３)の押し込みと、上下方向の逆挿入防止を兼用することができ、電気機器の省スペース化を図ることができる。
【発明を実施するための最良の形態】
【０００８】
第１実施例
以下、本発明の一実施例を図を用いて、詳述する。
図１は、電気機器、具体的にはデジタルカメラを底面側から見た斜視図である。ケース本体(１)の一端部に凹面(10)が形成され、該凹面(10)内に記録媒体が挿入される矩形孔(14)及び上面が開口(41)して電池(３)が収容される収容室(４)が形成されている。収容室(４)の開口(41)の周縁部には、ストッパ(９)がスライド可能に設けられ、該ストッパ(９)は開口(41)に被さる位置と、開口(41)から外れて退避した位置との間を往復動する。
凹面(10)内には、蓋体(２)が設けられ、蓋体(２)は枢軸(21)が凹面(10)の側壁に開設された長孔(13)に嵌まって、上下回動且つ前後移動可能に設けられている。蓋体(２)の基端部内側には、リブ片(25)が設けられ、電池(３)が正しい向きで挿入されるときには、該リブ片(25)にて電池(３)の上面を押さえることができる。蓋体(２)の裏面からは、当り片(26)が突出している。
蓋体(２)の先端部には爪部(22)が設けられ、凹面(10)上には爪部(22)と係合する係り片(12)が設けられている。従来と同様に、爪部(22)と係り片(12)とで、蓋体(２)のロック機構(６)を構成する。尚、蓋体(２)に係り片(12)を、凹面(10)上に爪部(22)を設けてもよい。
【０００９】
電池(３)は直方体状であって、下面に電極(31)を設けている。電池(３)の下面上にて、幅方向の一端部寄りの位置には、突片(30)が下向きに突出している。この幅方向の一端部寄りの位置とは、一端部に限定されず、幅方向の中心から何れかの端部にずれた位置を指し、例えば図１に点線で示す位置が該当する。本例にあっては、該突片(30)と前記のリブ片(25)を用いて、電池(３)が上下逆向きに挿入されることを防止している。
【００１０】
図２(a)、(b)は、図１をＡ方向から見た断面図であり、ストッパ(９)と電池(３)の位置関係を示す。収容室(４)の底面には、圧縮バネ(42)が設けられて、電池(３)を上向きに付勢する。
ストッパ(９)は開口(41)に被さる向きにバネ付勢され、図２(a)に示すように、電池(３)が収容室(４)内に正しく挿入されると、ストッパ(９)が開口(41)に被さって、圧縮バネ(42)の上向き付勢に抗して電池(３)の上面を押さえる。
図２(b)に示すように、ストッパ(９)を開口(41)から退避させると、圧縮バネ(42)によって電池(３)が開口(41)から飛び出す。電池(３)の掴み易さに鑑みて、電池(３)の突出量が設定される。
尚、挿入される電池(３)の下端部に押されて、ストッパ(９)が退避するように、ストッパ(９)上にはテーパ面(90)が形成されている。
【００１１】
図３は、電池(３)の挿入姿勢を示す図である。電池(３)は、図３の[１]に示すように、突片(30)を右に向けて下向きにして挿入されるのが正しい。ところが、[２]に示すように、表裏方向及び上下方向がともに逆に誤挿入される場合、[３]に示すように、上下方向が正しく表裏方向が逆に誤挿入される場合、[４]に示すように、表裏方向が正しく上下方向が逆に誤挿入される場合が考えられる。本例のデジタルカメラでは、[２]、[３]、[４]の場合に以下の如く、誤挿入を防止している。
【００１２】
[１]の場合
図４は、電池(３)が表裏方向及び上下方向とも正しく挿入されるときを示す断面図である。収容室(４)の底面には、電極(31)に接する接片(43)、及び突片(30)が嵌まる凹み(40)が設けられている。突片(30)が凹み(40)に嵌まった状態で、収容室(４)の開口(41)と電池(３)の上面が略同一面内に位置する。この状態でストッパ(９)が電池(３)を押さえる。
電池(３)を収容する際には、ストッパ(９)をバネ付勢に抗して開口(41)の外側に逃がして、電池(３)を押し込みながら、蓋体(２)を閉じる。
図５に拡大して示すように、リブ片(25)が電池(３)の上面を押して、電池(３)を正規の位置まで押し込む。電池(３)がストッパ(９)を通過すると、ストッパ(９)が開口(41)に被さって、収容室(４)から電池(３)が飛び出ることを防ぐ。蓋体(２)を図４に示すように、後退させれば、係り片(12)と爪部(22)とが係合して、蓋体(２)がロックされる。電極(31)は接片(43)に接して、電池(３)から給電される。
尚、圧縮バネ(42)による電池(３)の飛び出し量が大きな場合は、電池(３)を押し込まずに、蓋体(２)を閉じると、リブ片(25)が電池(３)の側面に当たって、蓋体(２)を閉じることができない。従って、電池(３)を押し込みながら、蓋体(２)を閉じる必要がある。
【００１３】
[２]の場合
図６は、表裏方向及び上下方向がともに逆にされて、電池(３)が誤挿入されるときを示す断面図である。電極(31)は接片(43)に接しないから、電池(３)から給電されない。
この状態では、蓋体(２)から突出した当り片(26)が、電池(３)の突片(30)に当たり、蓋体(２)を閉じることができない。従って、電池(３)を誤挿入したことが判る。
【００１４】
[３]の場合
図７は、上下方向が正しく、表裏方向が逆にされて、電池(３)が誤挿入されるときを示す断面図である。この場合は、図８に拡大して示すように、電池(３)の突片(30)が凹み(40)に嵌まらず、収容室(４)の底面に接した状態となるので、電池(３)は正規の高さ位置から浮き上がる。電極(31)は接片(43)に接しないから、電池(３)から給電されない。また、ストッパ(９)が電池(３)に掛からない。
従って、図９に拡大して示すように、蓋体(２)のリブ片(25)が浮き上がった電池(３)の上面に接して、蓋体(２)を完全に閉じることができない。これにより、電池(３)を誤挿入したことが判る。
【００１５】
[４]の場合
図１０は、表裏方向が正しく、上下方向が逆にされて、電池(３)が誤挿入されるときを示す断面図である。電極(31)は接片(43)に接しないから、電池(３)から給電されない。
この場合、電池(３)の高さは、正規の状態と変わらないが、図１１に拡大して示すように、蓋体(２)のリブ片(25)が突片(30)に接して、蓋体(２)を後退させることができない。従って、電池(３)を誤挿入したことが判る。
上記に示すように、本例にあっては、蓋体(２)にリブ片(25)を設け、収容室(４)内に電池(３)の突片(30)が嵌まる凹み(40)を設ける簡素な構成にて、電池(３)の誤挿入を防止することができる。
また、リブ片(25)は正規の姿勢で挿入された電池(３)の上面を押し込む。即ち、リブ片(25)にて電池(３)の押し込みと、上下方向の逆挿入防止を兼用することができ、電気機器の省スペース化を図ることができる。
【００１６】
第２実施例
尚、上記例の変形例として、図１２に示すように、収容室(４)の底面に突片(30)を設け、電池(３)の一端部寄りの位置に凹み(40)を設けてもよい。電池(３)が正しく挿入されると、突片(30)が凹み(40)に嵌まる。
これに対し、図１３に示すように、表裏方向及び上下方向がともに逆にされて、電池(３)が誤挿入されると、凹み(40)が上向きになるから、突片(30)が電池(３)の底面に接して、電池(３)が浮き上がる。従って、蓋体(２)のリブ片(25)が浮き上がった電池(３)の上面に接して、蓋体(２)を完全に閉じることができない。これにより、電池(３)を誤挿入したことが判る。
【００１７】
図１４に示すように、上下方向が正しく、表裏方向が逆にされて電池(３)が誤挿入されると、凹み(40)が左右逆になるから、突片(30)が電池(３)の底面に接して、電池(３)が浮き上がる。蓋体(２)のリブ片(25)が浮き上がった電池(３)の上面に接して、蓋体(２)を完全に閉じることができず、電池(３)を誤挿入したことが判る。
図１５に示すように、表裏方向が正しく上下方向が逆にされて電池(３)が誤挿入されても、突片(30)が電池(３)の底面に接して、電池(３)が浮き上がる。蓋体(２)のリブ片(25)が浮き上がった電池(３)の上面に接して、蓋体(２)を完全に閉じることができず、電池(３)を誤挿入したことが判る。
【００１８】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
本例では電気機器としてデジタルカメラを例示したが、蓋体を具えた電気機器であれば、これに限定されない。また、収容室(４)に収容される被収容物も電池(３)に限定されない。
【図面の簡単な説明】
【００１９】
【図１】デジタルカメラを底面側から見た斜視図である。
【図２】図１をＡ方向から見た断面図であり、ストッパと電池の位置関係を示す。
【図３】電池の挿入姿勢を示す正面図である。
【図４】電池が表裏方向及び上下方向とも正しく挿入されるときを示す断面図である。
【図５】図４のＢ部の拡大図である。
【図６】表裏方向と上下方向がともに逆にされて、電池が誤挿入されるときを示す断面図である。
【図７】上下方向が正しく、表裏方向が逆にされて、電池が誤挿入されるときを示す断面図である。
【図８】図７のＣ部拡大図である。
【図９】図７のＤ部拡大図である。
【図１０】表裏方向が正しく、上下方向が逆にされて、電池が誤挿入されるときを示す断面図である。
【図１１】図１０のＥ部拡大図である。
【図１２】他の実施例にて、電池が表裏方向及び上下方向とも正しく挿入されるときを示す断面図である。
【図１３】他の実施例にて、表裏方向と上下方向がともに逆にされて、電池が誤挿入されるときを示す断面図である。
【図１４】他の実施例にて、上下方向が正しく、表裏方向が逆にされて、電池が誤挿入されるときを示す断面図である。
【図１５】他の実施例にて、表裏方向が正しく、上下方向が逆にされて、電池が誤挿入されるときを示す断面図である。
【図１６】(a)、(b)は、従来のデジタルカメラを底面側から見た斜視図である。
【図１７】(従来のデジタルカメラを底面側から見た斜視図である。
【図１８】(a)、(b)は、蓋体とケース本体のロック及びロック解除状態を示す側面図である。
【符号の説明】
【００２０】
(１)  ケース本体
(２)  蓋体
(３)  電池
(４)  収容室
(６)  ロック機構
(25)  リブ片
(30)  突片
【図１】
2008047424.tif 000003
【図２】
2008047424.tif 000004
【図３】
2008047424.tif 000005
【図４】
2008047424.tif 000006
【図５】
2008047424.tif 000007
【図６】
2008047424.tif 000008
【図７】
2008047424.tif 000009
【図８】
2008047424.tif 000010
【図９】
2008047424.tif 000011
【図１０】
2008047424.tif 000012
【図１１】
2008047424.tif 000013
【図１２】
2008047424.tif 000014
【図１３】
2008047424.tif 000015
【図１４】
2008047424.tif 000016
【図１５】
2008047424.tif 000017
【図１６】
2008047424.tif 000018
【図１７】
2008047424.tif 000019
【図１８】
2008047424.tif 000020